(57)【要約】【課題】燃焼ガスの温度分布の影響を最小限に抑えることによりおよび／または燃焼室からの発光を有効に利用することにより発電効率を高めた熱光発電装置を提供する。【解決手段】燃焼ガスで加熱された発光体からの輻射光を光電変換素子により電力に変換する熱光発電装置において、燃焼ガスの進路上の複数の部位に、各部位の燃焼ガス温度に適した発光特性を持つ発光体をそれぞれ設ける。その際、望ましくは、上記各部位の発光体に対面させて、各発光体からの輻射光の波長に対応した発電波長域を持つ光電変換素子を設ける。燃焼ガスで加熱された発光体からの輻射光を光電変換素子により電力に変換する熱光発電装置において、発光体と同一の材料で燃焼室を構成することもできる。【選択図】      図２
2004363248.tif 000002
【特許請求の範囲】
【請求項１】
燃焼ガスで加熱された発光体からの輻射光を光電変換素子により電力に変換する熱光発電装置において、
燃焼ガスの進路上の複数の部位に、各部位の燃焼ガス温度に適した発光特性を持つ発光体をそれぞれ設けたことを特徴とする熱光発電装置。
【請求項２】
請求項１において、上記各部位の発光体に対面させて、各発光体からの輻射光の波長に対応した発電波長域を持つ光電変換素子を設けたことを特徴とする熱光発電装置。
【請求項３】
請求項１または２において、上記発光体の設置部位間および／または上記光電変換素子の設置部位間に遮光手段を設けたことを特徴とする熱光発電装置。
【請求項４】
請求項１から３までのいずれか１項において、燃焼室から噴出した直後の高温の上記燃焼ガスと上記発光体との接触時間を増加させる手段を設けたことを特徴とする熱光発電装置。
【請求項５】
請求項４において、接触時間を増加させる手段として、燃焼室からの燃焼ガスの噴出口を複数設けたことを特徴とする熱光発電装置。
【請求項６】
請求項４において、接触時間を増加させる手段として、燃焼室から噴出した燃焼ガスの向きを変える手段を設けたことを特徴とする熱光発電装置。
【請求項７】
燃焼ガスで加熱された発光体からの輻射光を光電変換素子により電力に変換する熱光発電装置において、
発光体と同一の材料で燃焼室を構成したことを特徴とする熱光発電装置。
【請求項８】
請求項１から７までのいずれか１項において、燃焼ガスを、燃焼室から下向きに噴出させ、発光体の最下部位に当てた後、発光体に沿って上昇させることを特徴とする熱光発電装置。
【発明の詳細な説明】
【０００１】
【発明の属する技術分野】
本発明は、燃焼ガスで加熱された発光体からの輻射光を光電変換素子（ＰＶ素子）により電力に変換する熱光発電装置（ＴＰＶ装置）に関する。
【０００２】
【従来の技術】
化石燃料や可燃性ガスから直接に電気エネルギーを得る技術として、熱光起電力変換（ｔｈｅｒｍｏｐｈｏｔｏｖｏｌｔａｉｃ  ｅｎｅｒｇｙ  ｃｏｎｖｅｒｓｉｏｎ）による発電すなわち熱光発電（ＴＰＶ発電）が注目されている。ＴＰＶ発電のしくみは、燃焼室から噴出させた燃焼ガスで発光体（輻射体、エミッタ）を加熱し、発光体から輻射光を発生させ、その光を光電変換素子（光電池）に照射して電気エネルギーを得るというものである。ＴＰＶ発電装置は、可動部分を有しないため、無騒音・無振動システムを実現することができる。次世代のエネルギー源として、ＴＰＶ発電は、クリーン性、静粛性などの点で優れている。
【０００３】
図１に、従来の熱光発電装置の典型例（特許文献１、２等を参照して構成したもの）を示す。図示した熱光発電装置１００は、ステンレス鋼等の耐熱金属材料で作られた燃焼室１０２の周りを発光体１０４と光電変換素子１０６が取り巻いており、全体が耐熱性のハウジング１１０に収容されている。
【０００４】
装置１００の底部中央からは燃料Ｆ、底部外周部からは燃焼用空気Ａ１がそれぞれ導入される。燃料Ｆは燃料管１１２内を上昇して気化器１１４で気化され、燃焼室１０２の底部にあるバーナー１１６で燃焼用空気Ａ１により燃焼し、火炎Ｂを生ずる。燃焼により発生した燃焼ガスは上昇流Ｇ１として進行し、発光体１０４の頂部１０４Ｔに当たって外向きに放射状に流れ、燃焼室１０２の壁と発光体１０４との間の間隙を下降流Ｇ２として進行する。その際、燃焼ガスの下降流Ｇ２により発光体１０４が加熱されて特定の波長範囲の輻射光を発する。この輻射光が光電変換素子１０６に達して電力に変換される。
【０００５】
発光体１０４と光電変換素子１０６との間に介在するフィルター１０８は耐熱ガラス等で作られており、発光体１０４を介して燃焼ガスや輻射熱が光電変換素子１０６に到達するのを防止しつつ、光電変換素子１０６に適した波長の光を透過する。
【０００６】
燃焼ガスの下降流Ｇ２は更に下方へ進行してステンレス鋼等の耐熱金属材料から成る熱交換部１２０を介して燃焼用空気Ａ１の上昇流へ熱伝達する。この部位の発光体１０４の周囲と装置底部には断熱材料１２２が設けてある。燃焼ガスは更に下方へ進行し、装置底部の排気口１２４から装置外へ放出される。
【０００７】
装置１００の頂部に設けた送風ファン１１８により、冷却用空気Ａ２が装置内に送り込まれ、光電変換素子１０６とハウジング１１０との間の空間を下降しつつ光電変換素子１０６を外周面から冷却し、更に下降して装置底部の排気口１２４から装置外へ放出される。
【０００８】
上記従来の熱光発電装置１００は、発光体１０４が全体として一種類の発光物質で形成されており、また光電変換素子１０６も全体として一種類の素子で形成されていた。これには下記の問題がある。
【０００９】
第１の問題は、燃焼ガスが進行に伴って温度低下するため、燃焼ガスにより加熱される発光体１０４の温度が部位によって変化することに起因する。すなわち、燃焼ガスは燃焼室１０２から噴出した直後の頂部で最も高温であり、下降流Ｇ２として進行するに伴って温度が低下していくので、下降流Ｇ２により加熱される発光体１０４も下方の部位ほど低温になる。一般に、発光物質は高温ほど発光量が増大し且つ短波長（高エネルギー）の光を出すので、温度低下に伴い発光量が減少し且つ発光波長が長波長側（低エネルギー側）にシフトする。そのため、一種類の発光物質で構成された発光体１０４はその部位により発光量も発光波長も変動してしまう。
【００１０】
第２点の問題は、上記第１の問題に起因する。すなわち、光電変換素子１０６は発電に適した特定の波長域を持つので、発光体１０４の部位により発光量および発光波長が変動すると、輻射光を電力に変化する光電変換素子１０６の変換効率も変動してしまう。
【００１１】
このように、燃焼ガスが進路に沿って不可避的に温度低下するため、単一種類の発光体１０４単一種類の光電変換素子１０６とを組合せた従来の熱光発電装置では、装置全体として最適の熱光発電条件が確保できず、高い発電効率が得られないという問題があった。
【００１２】
更にもう１つの問題として、燃焼室がステンレス鋼等の灰色体によって構成されており、最初に熱エネルギーを吸収するとともに光電変換素子に対して無効な波長帯域の赤外光を多く発し、発電に寄与しない無駄なエネルギーを放射され、高い発電効率が得られないという問題もあった。
【００１３】
【特許文献１】
特開２００２−３１５３７１（特許請求の範囲）
【特許文献２】
特開２００２−３１９６９３（特許請求の範囲）
【００１４】
【発明が解決しようとする課題】
本発明は、上記従来の問題を解消して、燃焼ガスの温度分布の影響を最小限に抑えることによりおよび／または燃焼室からの発光を有効に利用することにより発電効率を高めた熱光発電装置を提供することを目的とする。
【００１５】
【課題を解決するための手段】
上記の目的を達成するために、第１発明の熱光発電装置は、燃焼ガスで加熱された発光体からの輻射光を光電変換素子により電力に変換する熱光発電装置において、燃焼ガスの進路上の複数の部位に、各部位の燃焼ガス温度に適した発光特性を持つ発光体をそれぞれ設けたことを特徴とする。
【００１６】
また、第２発明による熱光発電装置は、燃焼ガスで加熱された発光体からの輻射光を光電変換素子により電力に変換する熱光発電装置において、発光体と同一の材料で燃焼室を構成したことを特徴とする。
【００１７】
【発明の実施の形態】
第１発明の熱光発電装置は、燃焼ガスの進路上の複数の部位に、各部位の燃焼ガス温度に適した発光特性を持つ発光体をそれぞれ設けた基本構成により、各部位毎に高い発光効率で一定波長域の輻射光を発光させることができ、装置全体としての発電効率が高まる。
【００１８】
望ましくは、上記各部位の発光体に対面させて、各発光体からの輻射光の波長に対応した発電波長域を持つ光電変換素子を設ける。これにより、上記基本構成による発光体の発光効率の向上に加えて、発光体と光電変換素子との組合せが最適化され、装置全体として更に発電効率が高まる。
【００１９】
望ましくは、上記発光体の設置部位間および／または上記光電変換素子の設置部位間に遮光手段を設ける。これにより、隣接部位間で異なる波長の輻射光が混入し合うことが防止されるので、各部位の光電変換素子を不必要に昇温させることなく高い光電変換効率を得ることができる。特に、高温部位からの輻射光の漏洩が防止されることにより、高い発光量が得られる高温域での熱光変換効率が高まる。
【００２０】
望ましくは、燃焼室から噴出した直後の高温の上記燃焼ガスと上記発光体との接触時間を増加させる手段を設ける。この接触時間を増加させる手段として、燃焼室からの燃焼ガスの噴出口を複数設けたり、あるいは、燃焼室から噴出した燃焼ガスの向きを変える手段を設けることができる。これにより、高温部位の燃焼ガスから発光体への熱伝達効率が高まり、高い発光量が得られる高温域での熱光変換効率が高まる。
【００２１】
第２発明においては、発光体と同一の材料で燃焼室を構成する。燃焼室をステンレス鋼等の耐熱性金属材料で作製すると、燃焼室を加熱する燃焼ガスの熱エネルギーは無駄に費やされることになる。燃焼室を発光体と同一の材料で作製することにより、燃焼室自体も発光体として機能でき、熱光変換効率が高まる。
【００２２】
第１、第２発明において、望ましくは、燃焼ガスを、燃焼室から下向きに噴出させ、発光体の最下部位に当てた後、発光体に沿って上昇させる。燃焼ガスを燃焼室から下向きに噴出させる構造は燃料を燃焼室上部より下向きに供給する形になるので、液体燃料を噴霧あるいは滴下する場合の完全燃焼を促進し、また、燃焼ガスを発光体に沿って上昇させる構造は重力により燃焼ガスの上昇流速を高め、熱伝達率を向上させることができる。
【００２３】
第１、第２発明は個々に発電効率向上効果を奏するが、両発明を組み合わせると更に高い効果が得られる。
【００２４】
【実施例】
〔実施例１〕
図２に、第１発明の望ましい形態による熱光発電装置の一例を示す。図示した熱光発電装置２００は上部の熱交換器２００Ｔ、中央の主部２００Ｍ、下部の給気部２００Ｂから成る。
【００２５】
主部２００Ｍは、ステンレス鋼等の耐熱金属材料で作られた燃焼室２０２の周りを発光体２０３、２０４、２０５と光電変換素子２０６、２０７とが取り巻いており、全体が耐熱性のハウジング２１０に収容されている。発光体２０４、２０５と光電変換素子２０６、２０７との間には耐熱ガラス等で作られたフィルター２０８が介在しており、発光体２０４、２０５を介して燃焼ガスや輻射熱が光電変換素子２０６、２０７に到達するのを防止しつつ、光電変換素子２０６、２０７に適した波長の光を透過する。
【００２６】
給気部２００Ｂは、導入口２１２から外気を取り入れ（矢印Ｑ１）、モーター２１４で駆動されるブロア２１６によって、主部２００Ｍに空気流（矢印Ｑ２）として供給する。主部に供給された空気流はフィルター２０８と光電変換素子２０６、２０７との間を通って光電変換素子２０６、２０７を冷却しつつ上昇し（矢印Ｑ３）、上部の熱交換器２２４を経て予混合室２２０に入る。
【００２７】
一方、主部２００Ｍの上部にある燃料導入口２１８から燃料Ｆが導入され、予混合室２２０内に入って、ここで上記の空気と混合される。形成された混合ガスは、燃焼室２０２の上部にあるバーナー２２２により燃焼し、下向きの火炎Ｂを生ずる。燃焼により発生した燃焼ガスは下降流Ｇ１として燃焼室２０２から噴出し、底部の発光体２０５に当たって外向きに放射状に流れ（矢印Ｇ２）、燃焼室２０２の直ぐ外側を取り巻く発光体２０３の壁とその外側を取り巻く発光体２０４との間の間隙を上昇流する（矢印Ｇ３）。その際、燃焼ガスの放射流Ｇ２により発光体２０５が加熱され、燃焼ガスの上昇流Ｇ３により発光体２０４が加熱されて各発光体に特有の波長範囲の輻射光を発する。内側の発光体２０３は多孔体として形成されており、その内部を通って流れる燃焼ガス（矢印Ｇ４）によって加熱される。発光体２０３、２０４からの輻射光はフィルター２０８を透過して対面する光電変換素子２０６に達し、発光体２０５からの輻射光はフィルター２０８を透過して対面する光電変換２０７に達して、それぞれ電力に変換される。
【００２８】
燃焼ガスの上昇流Ｇ３、Ｇ４は更に上方へ進行し、ステンレス鋼等の耐熱金属材料から成る熱交換器２２４で空気を加熱した後、排気口２２６から装置外へ放出される。
【００２９】
また、光電変換素子２０６、２０７を背面から冷却するための冷却水の導入口２２８および排出口２３０を備えている。
【００３０】
ここで、第１発明の望ましい形態の特徴として、上記各部位の発光体２０３、２０４、２０５および光電変換素子２０６、２０７をそれぞれ下記のように選択して組み合わせる。まず、燃焼室２０２から噴出した燃焼ガス（Ｇ２）が最初に当たる部位は最も高温になるので、この部位の発光体２０５は高温での熱光変換効率が高いＹｂ２Ｏ３を用い、これに対面する部位の光電変換素子２０７は、高温でＹｂ２Ｏ３発光体２０５から放射される短波長の輻射光に対して光電変換効率の高いＳｉを用いる。これに対して、燃焼ガスの上昇流（Ｇ３）に沿った部位は燃焼ガス温度が低下しているので、この部位の発光体２０３、２０４は低温での熱光変換効率が高いＥｒ２Ｏ３を用い、これらに対面する部位の光電変換素子２０６は、低温でＥｒ２Ｏ３から放射される長波長の輻射光に対して光電変換効率の高いＧｅを用いる。
【００３１】
すなわち、燃焼ガスが高温である部位はＹｂ２Ｏ３発光体２０５／Ｓｉ光電変換素子２０７の組み合わせとし、燃焼ガス温度が低下した部位はＥｒ２Ｏ３発光体２０３、２０４／Ｇｅ光電変換素子２０６の組合せを用いる。
【００３２】
このように第１発明においては入力エネルギーの大部分を光電変換素子の感度領域の光に変換する選択発光体を用いる。熱光発電に都合の良い波長で発光する発光体として希土類元素を用いた発光体がある。希土類元素には、図３に示すように、発光バンド中心波長が１．０μｍのＹｂ、１．５μｍのＥｒ、２．０μｍのＨｏ等がある。使用する温度領域と光電変換素子の感度領域とに適した発光体を用いる。
【００３３】
光電変換素子と発光体との組合せとしては、図３に示すように、光電変換素子としてのＳｉの感度波長領域に強い発光を持つＹｂ２Ｏ３を発光体として組合せ、光電変換素子としてＧａＳｂやＧｅを用いる場合にはこれらの感度波長領域に強い発光を持つＥｒ２Ｏ３を発光体として組み合わせる。これらの組合せの発電効率は、Ｅｒ／Ｇｅで最大４５％、Ｙｂ／Ｓｉで最大６０％であり、Ｓｉを用いた方が高い発電効率が得られる。しかし、Ｓｉの場合、電子／正孔対を形成するためのエネルギーは波長１μｍの光に対応している。光は波長が短いほど大きなエネルギーを持つので、Ｓｉ光電変換素子では１μｍより短い波長の光を入射しなければ電力を得られない。そのため従来は、選択発光体を用いる熱光発電装置において光電変換素子としてＳｉを用いることは感度領域の狭さから敬遠されてきた。
【００３４】
第１発明においては、光電変換と発光体とを燃焼ガスの温度分布に対応させて組み合わせたことにより、感度領域は狭いが短波長域での光電変換効率が高いＳｉを燃焼ガス高温域で集中的に活用することができるので、熱光発電装置全体としての発電効率を従来に比べて大幅に向上させることができる。
【００３５】
図４に、発光体としてＳｉＣを用いた場合について、種々の発光体温度における発光波長バンドを示す。発光体は高温になるほど発光量が増大し、発光バンド全体としての発光強度が大きくなると同時に、発光バンド内の短波長成分の強度が長波長成分に対して相対的に大きくなる。その結果、発光体が高温になるほど、上記のように発電効率の良いＳｉの感度領域内の波長成分の強度が大きくなる。そこで噴出直後の燃焼ガスに加熱される高温部位でＳｉ光電変換素子を積極的に用い、またそれ以下の比較的低温部位についても最適な光電変換素子／発光体の組合せを用いることにより、高効率の発電が実現する。
【００３６】
発光体温度に対応した光電変換素子／発光体の組合せの典型例を表１に示す。
【００３７】
【表１】
2004363248.tif 000003
【００３８】
なお、図２に示した望ましい形態においては、Ｙｂ２Ｏ３発光体２０５／Ｓｉ光電変換素子２０７を組み合わせた高温部位と、Ｅｒ２Ｏ３発光体２０３、２０４／Ｇｅ光電変換素子２０６を組合せた低温部位との境目に、絞り２３２を設けた。これにより、異なる波長域の輻射光の相互混入（特に高温側から低温側への混入）が低減され、高温部位、低温部位においてそれぞれ変換効率が更に向上する。
【００３９】
本実施例の重要な着目点は、高温域の有効利用、すなわち高温域に適したＳｉ光電変換素子をいかに効率良く作動させるかにある。そのためにはＹｂ２Ｏ３発光体の昇温を効率良く行なう必要がある。以下に、そのための更に望ましい形態による実施例を説明する。
【００４０】
〔実施例２〕
図５に、第１発明の更に望ましい形態による熱光発電装置の一例を示す。図５（１）は装置全体を示す断面図であり、図５（２）は噴出口の部分のみを示す平面図である。図示した熱光発電装置３００は、基本的な構造は実施例１（図２）と共通であるが、高温部位の構造に特徴がある。
【００４１】
すなわち、燃焼ガスを複数の小さい噴出口２０１から噴出させてガス流速を高めた。また、噴出ガス流に対して垂直となる面を大きくとりＹｂ２Ｏ３発光体２０５をその面に配列して、高温ガス２０５とＹｂ２Ｏ３発光体との接触時間を増加させることにより燃焼ガスから発光体への熱伝達効率を高めた。Ｙｂ２Ｏ３発光体２０５と組み合わせるＳｉ光電変換素子２０７もＹｂ２Ｏ３発光体２０５の設置面と平行な面に配列してある。
【００４２】
なお、本実施例においても、高温部位と低温部位の境目に絞り２３２を設けて両部位間での（特に高温側から低温側への）光の相互混入を制限してある。
【００４３】
〔実施例３〕
図６に、第１発明の別の望ましい形態による熱光発電装置の一例を示す。図６（１）は装置全体の断面図、（２）は燃焼室２０２の底面２０２Ｂの平面図、（３）は底部に配列した一群のＹｂ２Ｏ３発光体２０５の表面２０５Ｓの平面図、（４）および（５）はそれぞれ（３）の線Ａ−Ａ’および線Ｂ−Ｂ’における断面図である。
【００４４】
図示した熱光発電装置４００は、基本的な構造は実施例１（図２）と共通であるが、高温部位の構造に特徴がある。
【００４５】
すなわち、燃焼ガスを複数の小さい噴出口２０１から噴出させてガス流速を高めた。更に、図６（２）に示すように、噴出口２０１の形態を管としたことにより燃焼ガスを渦流として噴出させる。これに対応させて、底部に配置した一群のＹｂ２Ｏ３発光体２０５の表面２０５Ｓを図６（３）のように渦巻き状の形状にして、燃焼ガスの渦流を促進させる。個々の渦巻き面は図６（４）および（５）にそれぞれ示すように半径方向および円周方向に傾斜している。これにより高温ガス２０５とＹｂ２Ｏ３発光体との接触時間を増加させて燃焼ガスから発光体への熱伝達効率を高めた。
【００４６】
なお、本実施例においても、Ｙｂ２Ｏ３発光体２０５／Ｓｉ光電変換素子２０７を組み合わせた高温部位と、Ｅｒ２Ｏ３発光体２０３、２０４／Ｇｅ光電変換素子２０６を組合せた低温部位との境目に、絞り２３２を設けて両部位間での（特に高温側から低温側への）光の相互混入を制限してある。
【００４７】
〔実施例４〕
図７に、第１発明の別の望ましい形態による熱光発電装置の一例を部分断面図で示す。実施例３のように燃焼ガスの渦流を発生させるために、本実施例では噴出口の前方にフィン２０１Ｆを設けた。これにより実施例３と同様に高温ガス２０５とＹｂ２Ｏ３発光体との接触時間を増加させて燃焼ガスから発光体への熱伝達効率を高めた。
【００４８】
なお、本実施例においても、Ｙｂ２Ｏ３発光体２０５／Ｓｉ光電変換素子２０７を組み合わせた高温部位と、Ｅｒ２Ｏ３発光体２０３、２０４／Ｇｅ光電変換素子２０６を組合せた低温部位との境目に、絞り２３２を設けて両部位間での（特に高温側から低温側への）光の相互混入を制限してある。
【００４９】
〔実施例５〕
図８に、第１発明の別の望ましい形態による熱光発電装置の一例を部分断面図で示す。本実施例においては、実施例３（図６）による「管形態の噴出口＋底面発光体表面形状」と実施例４（図７）による「噴出口前方のフィン」とを組み合わせた。これにより、渦流の発生を更に促進できるので、燃焼ガス／発光体接触時間増大による熱伝達効率向上効果が更に高まる。
【００５０】
なお、本実施例においても、Ｙｂ２Ｏ３発光体２０５／Ｓｉ光電変換素子２０７を組み合わせた高温部位と、Ｅｒ２Ｏ３発光体２０３、２０４／Ｇｅ光電変換素子２０６を組合せた低温部位との境目に、絞り２３２を設けて両部位間での（特に高温側から低温側への）光の相互混入を制限してある。
【００５１】
〔実施例６〕
図９に、第１発明の別の望ましい形態による熱光発電装置の一例を示す。図示した熱光発電装置５００は、基本的な構造は実施例１（図２）と共通であるが、発光体／光電変換素子の組合せを高温、中温、低温の３通り配置した構造が特徴である。すなわち、高温部位はＹｂ２Ｏ３発光体２０５／Ｓｉ光電変換素子２０７の組合せ、中温部位はＥｒ２Ｏ３発光体２０４／Ｇｅ光電変換素子２０６の組合せ、低温部位はＳｉＣ発光体２３４／ＩｎＡｓ光電変換素子２３６の組合せとした。これにより、燃焼ガスの温度域と発光体／光電変換素子との対応を更に適正化できると共に、更に低温域の燃焼ガスエネルギーまで有効に利用できるので、発電効率が更に高まる。
【００５２】
なお、本実施例においても、高温部位（Ｙｂ２Ｏ３発光体２０５／Ｓｉ光電変換素子２０７）、中温部位（Ｅｒ２Ｏ３発光体２０４／Ｇｅ光電変換素子２０６）、低温部位（ＳｉＣ発光体２３４／ＩｎＡｓ光電変換素子２３６）の各境目に、絞り２３２を設けて隣接部位間での（特に高温側から低温側への）光の相互混入を制限してある。更に、中温部位（Ｅｒ２Ｏ３発光体２０４／Ｇｅ光電変換素子２０６）、低温部位（ＳｉＣ発光体２３４／ＩｎＡｓ光電変換素子２３６）の境目には、反射板を配置してあり、両部位間での（特に高温側から低温側への）光の相互混入を更に制限してある。
【００５３】
〔実施例７〕
図１０に、第２発明の望ましい形態による熱光発電装置の一例を示す。図示した装置６００は全体がほぼ円筒状であり、燃焼室３０２は発光体３０４と同一材料で作られている。発光体３０４の外側に耐熱ガラス製フィルター３０６を介して光電変換素子３０８が配置されている。
【００５４】
燃料ガスＦは装置上端の燃料導入口３１２から導入され、下向きに燃焼室３０２に供給される。空気は装置下端の空気導入口３１４から導入され（矢印Ｐ１）、フィルター３０６と光電変換素子３０８との間の間隙を通って上昇し（矢印Ｐ２）、更に上昇して（矢印Ｐ３）、装置上端から下向きに燃焼室３０２内に供給され（矢印Ｐ４）、燃焼室３０２内で燃料Ｆを燃焼させて火炎Ｂを形成する。これにより発生した燃焼ガスは燃焼室３０２の下端から噴出して底部の発光体３０４に当たって放射状に外向きに進み（矢印Ｇ１）、その後、燃焼室３０２の外周面とその外側を取り巻く発光体３０４との間を上昇する（矢印Ｇ２）。その際、同一材料から成る燃焼室３０２と発光体３０４とが燃焼ガスにより加熱されて同一波長帯を持つ輻射光を発し、この輻射光がフィルター３０６を透過して光電変換素子３０８に到達する。
【００５５】
発光体３０４の発光波長域に感度領域を持つ光電変換素子３０８は、発光体３０４からの輻射エネルギーに加えて更に燃焼室３０２からの輻射エネルギーも有効に吸収して電力に変換するので、ステンレス鋼等の灰色体で燃焼室を構成した構造に比べて発電効率が向上する。
【００５６】
使用済の燃焼ガスは更に上昇して（矢印Ｇ３）、装置上端の排出口３１０から装置外部へ排出される（矢印Ｇ４）。
【００５７】
〔実施例８〕
図１１に、第２発明の望ましい形態による熱光発電装置の一例を示す。図示した装置７００は全体がほぼ円筒状であり、多孔質の発光体材料で作製した燃焼室兼発光体３０３を備えている。燃焼室兼発光体３０３の外側に耐熱ガラス製フィルター３０６を介して光電変換素子３０８が配置されている。
【００５８】
燃料ガスＦが装置上端の燃料導入口３１２から導入されて下向きに燃焼室空間３０３Ｃ内に供給され、一方、空気が装置上端の空気導入口３１４から導入されて下向きに燃焼室空間３０３Ｃに供給され、燃料ガスＦを燃焼させて火炎Ｂを形成する。これにより発生した燃焼ガスは燃焼室空間３０３Ｃの下端から噴出して底部に当たって放射状に外向きに進み（矢印Ｇ１）、その後、多孔質の燃焼室兼発光体３０３内を上昇する（矢印Ｇ２）。その際、発光体材料から成る燃焼室兼発光体３０３から発生した輻射光がフィルター３０６を透過して光電変換素子３０８に到達する。
【００５９】
これにより、光電変換素子３０８に適した波長域を持つ輻射光の発生量が増加し、ステンレス鋼等の灰色体で燃焼室を構成した構造に比べて発電効率が向上する。
【００６０】
〔実施例９〕
図１２に、第２発明の望ましい形態による熱光発電装置の一例を示す。図示した装置８００は全体がほぼ円筒状であり、発光体材料から成る二重管３０５が燃焼室壁と内側発光体を構成し、その外側を同じ発光体材料から成る発光体３０４が取り巻き、更に外側を耐熱ガラス製フィルター３０６と光電変換素子３０８が順次取り巻いている。内側の発光体３０５と外側の発光体３０４との間には同じ発光体材料から成るスパイラルフィン３１６が形成されている。
【００６１】
実施例８と同様に燃料ガスＦおよび空気Ｐ１が装置上端の各導入口３１２および３１４から導入されて下向きに燃焼室空間３０５Ｃに供給され、燃焼により火炎Ｂが形成される。これにより発生した燃焼ガスは燃焼室下端から噴出して、底部の発光体３０４に当たって放射状に外向きに進み、スパイラルフィン３１６により画定された空隙３１８を流速を挙げて旋回しながら上昇し、装置上端の排出口３１０から装置外部へ排出される。これにより、燃焼ガスは流速が増加しかつ発光体３０４、３０５との接触時間が増大し、実施例７、８に比べて更に高い発電効率が得られる。
【００６２】
【発明の効果】
本発明によれば、燃焼ガスの温度分布の影響を最小限に抑えることによりおよび／または燃焼室からの発光を有効に利用することにより発電効率を高めた熱光発電装置が提供される。
【図面の簡単な説明】
【図１】図１は、従来の熱光発電装置を示す断面図である。
【図２】図２は、第１発明による実施例１の熱光発電装置の断面図である。
【図３】図３は、種々の発光体の発光波長域と光電変換素子の感度領域との関係を示すグラフである。
【図４】図４は、ＳｉＣ発光体の温度を変えたときの発光波長域と組合せに適した光電変換素子との関係を示すグラフである。
【図５】図５は、第１発明による実施例２の熱光発電装置の（１）断面図および（２）部分平面図である。
【図６】図６は、第１発明による実施例３の熱光発電装置の（１）断面図、（２）部分平面図、（３）部分平面図、（４）部分断面図および（５）部分断面図である。
【図７】図７は、第１発明による実施例４の熱光発電装置の部分断面図である。
【図８】図８は、第１発明による実施例５の熱光発電装置の部分断面図である。
【図９】図９は、第１発明による実施例６の熱光発電装置の部分断面図である。
【図１０】図１０は、第２発明による実施例７の熱光発電装置の断面図である。
【図１１】図１１は、第２発明による実施例８の熱光発電装置の断面図である。
【図１２】図１２は、第２発明による実施例９の熱光発電装置の断面図である。
【符号の説明】
１００…従来の熱光発電装置
２００、３００、４００、５００、６００、７００、８００…本発明の熱光発電装置
１０２、２０２、３０２、３０３Ｃ…燃焼室（燃焼室空間）
１０４、２０３、２０４、２０５、２３４、３０２、３０３、３０４、３０５…発光体
１０６、２０６、２０７、２３６、３０８…光電変換素子
【図１】
2004363248.tif 000004
【図２】
2004363248.tif 000005
【図３】
2004363248.tif 000006
【図４】
2004363248.tif 000007
【図５】
2004363248.tif 000008
【図６】
2004363248.tif 000009
【図７】
2004363248.tif 000010
【図８】
2004363248.tif 000011
【図９】
2004363248.tif 000012
【図１０】
2004363248.tif 000013
【図１１】
2004363248.tif 000014
【図１２】
2004363248.tif 000015